(57)【特許請求の範囲】
【請求項１】
所定のエリア内に存在する複数の携帯端末がアドホックネットワークを形成して、各携帯端末が撮影した映像を流通させ、該流通する映像を用いて新たな映像を生成する映像生成システムであって、
前記携帯端末が、
前記アドホックネットワーク通信を実行する通信手段と、
前記流通している映像から所望の映像を選択する選択手段と、
該選択した映像を処理して新たな映像を生成する映像生成手段と、
前記携帯端末が位置情報を検出する位置情報検出手段と、を備え、
前記アドホックネットワーク内で、任意のローカルグループを形成し、
前記映像生成手段が、前記ローカルグループ内の前記携帯端末の位置情報に基づいて、２以上の前記携帯端末の映像から立体映像を生成することを特徴とする映像生成システム。
【請求項２】
前記アドホックネットワーク内で、前記映像のインデックスを流通させることを特徴とする請求項１に記載の映像生成システム。
【請求項３】
前記立体映像を生成するための最適な映像が見つからなかったときに、前記選択手段が、前記位置情報検出手段の位置情報から撮影する高さが近く、前記立体映像の画角に一致する映像を選択し、前記映像生成手段が、撮影高の差を画像処理により調整することを特徴とする請求項１または請求項２に記載の映像生成システム。
【請求項４】
前記位置情報検出手段が、ＧＰＳ受信機であることを特徴とする請求項１から請求項３のいずれかに記載の映像生成システム。
【請求項５】
前記位置情報検出手段が、施設の座席に設置された発信器からの信号を受信する受信機であることを特徴とする請求項１から請求項３のいずれかに記載の映像生成システム。
【請求項６】
所定のエリア内に存在する複数の携帯端末がアドホックネットワークを形成して、各携帯端末が撮影した映像を流通させ、該流通する映像を用いて立体映像を生成する映像生成システムにおける映像生成方法であって、
任意の前記携帯端末で、ローカルグループを構築する第１のステップと、
該構築したローカルグループを、一つのマクログループとしたアドホックネットワークを構築する第２のステップと、
映像データのインデックスを、アドホックネットワークグループに流通させる第３のステップと、
該流通するインデックスと位置情報とに基づいて、所望の映像を選択する第４のステップと、
該選択した映像を処理して立体映像を生成する第５のステップと、
を有することを特徴とする映像生成方法。
【請求項７】
所定のエリア内に存在する複数の携帯端末がアドホックネットワークを形成して、各携帯端末が撮影した映像を流通させ、該流通する映像を用いて立体映像を生成する映像生成システムにおける映像生成方法をコンピュータに実行させるためのプログラムであって、
任意の前記携帯端末で、ローカルグループを構築する第１のステップと、
該構築したローカルグループを、一つのマクログループとしたアドホックネットワークを構築する第２のステップと、
映像データのインデックスを、アドホックネットワークグループに流通させる第３のステップと、
該流通するインデックスと位置情報とに基づいて、所望の映像を選択する第４のステップと、
該選択した映像を処理して立体映像を生成する第５のステップと、
をコンピュータに実行させるためのプログラム。
【発明の詳細な説明】
【技術分野】
【０００１】
本発明は、所定のエリア内に存在する複数の携帯端末がアドホックネットワークを形成して、各携帯端末が撮影した映像を流通させ、流通する映像を用いて新たな映像を生成する映像生成システム、映像生成方法およびプログラムに関する。
【背景技術】
【０００２】
近年、携帯電話やＰＤＡ（Ｐｅｒｓｏｎａｌ Ｄｉｇｉｔａｌ Ａｓｓｉｓｔａｎｔ）といった携帯式（モバイル式）の情報端末装置（携帯端末）の普及がめざましい。こうした背景から、現在では、音声通話のみならず、メール送信や静止画あるいは動画の撮像機能等が充実しており、メールに画像を添付して送信することもしばしば行われている。
【０００３】
ところで、野球場やサッカースタジアム等の大きな競技場で、スポーツを観戦する場合、お気に入りの選手の動きや注目すべきシーンを立体映像として捉えたり、多視点映像として捉えることは、自身の携帯端末のみでは不可能であり、従来は、立体映像専用の撮像装置や固定された複数台の撮像装置で撮影していた。具体的には、多視点映像の撮像には、大型映像を表示する大型映像表示手段を有する複数の基地装置と、複数の基地装置と回線を介して接続された中央制御装置と、複数の基地装置のそれぞれと無線により通信可能で、それぞれの基地装置から情報を得ることができる携帯端末装置とを備えた、大がかりなシステムが必要であった（例えば、特許文献１参照）。
【特許文献１】特開２００１−３４６１９９号公報
【発明の開示】
【発明が解決しようとする課題】
【０００４】
すなわち、立体映像や多視点映像を撮像するためには、固定されたカメラを利用することが前提となっていた。しかしながら、このような場合には、作成される映像が、あらかじめ設定された角度、視野に限定されるため、例えば、野球場、サッカースタジアムのように、選手の動きが刻一刻と変化する場合には、固定的なカメラではベストショットは望めない。
【０００５】
また、従来の固定されたカメラによる方法では、複数の固定されたカメラはもとより、付随する設備が必要となって、システム自体が大型化し、これを構成するために、多くのコストを要するという問題があった。
【０００６】
そこで、本発明は、上記事情に鑑みてなされたものであり、携帯端末を用いて、アドホックネットワークを形成し、簡易なシステムで様々な映像を楽しむことができる映像生成システム、映像生成方法およびプログラムを提供することを目的とする。
【課題を解決するための手段】
【０００７】
本発明は、上記した課題を解決するために以下の事項を提案している。
【０００８】
（１）本発明は、所定のエリア内に存在する複数の携帯端末がアドホックネットワークを形成して、各携帯端末が撮影した映像を流通させ、該流通する映像を用いて新たな映像を生成する映像生成システムであって、前記携帯端末が、前記アドホックネットワーク通信を実行する通信手段と、前記流通している映像から所望の映像を選択する選択手段と、該選択した映像を処理して新たな映像を生成する映像生成手段と、前記携帯端末が位置情報を検出する位置情報検出手段と、を備え、前記アドホックネットワーク内で、任意のローカルグループを形成し、前記映像生成手段が、前記ローカルグループ内の前記携帯端末の位置情報に基づいて、２以上の前記携帯端末の映像から立体映像を生成することを特徴とする映像生成システムを提案している。
【０００９】
この発明によれば、携帯端末の通信手段が、アドホックネットワーク通信を実行し、選択手段が流通している映像から所望の映像を選択して、映像生成手段が、その選択した映像を処理して新たな映像を生成する。したがって、多くの人々が持っている携帯端末を使って、簡易なシステムで、立体映像や多視点映像等の様々な映像を簡単に、楽しむことができる。
【００１０】
また、この発明によれば、アドホックネットワーク内で、任意のローカルグループを形成する。これにより、ローカルグループ内はもとより、ローカルグループ間においても、映像を流通させることができる。また、ローカルグループを形成することにより、自分が撮影を中止している場合やカメラの前を人が横切ることにより、重要な場面の撮影ができなかった場合でも、流通する映像の中から最適な映像を選択することができる。
【００１１】
また、この発明によれば、携帯端末が位置情報を検出し、映像生成手段が、ローカルグループ内の携帯端末の位置情報に基づいて、２以上の携帯端末の映像から立体映像を生成する。つまり、映像とともに、その映像を撮像した携帯端末の位置情報から、立体映像を生成ための携帯端末の地表面からの高さと、自分の携帯端末、被写体とからなる画角を検出することにより、立体映像を生成するための映像を的確に把握することができる。
【００１２】
（２）本発明は、（１）の映像生成システムについて、前記アドホックネットワーク内で、前記映像のインデックスを流通させることを特徴とする映像生成システムを提案している。
【００１３】
この発明によれば、アドホックネットワーク内で、映像のインデックスを流通させる。これにより、通信量を削減しつつ、映像情報を流通させることができる。
【００１６】
（３）本発明は、（１）または（２）の映像生成システムについて、前記立体映像を生成するための最適な映像が見つからなかったときに、前記選択手段が、前記位置情報検出手段の位置情報から撮影する高さが近く、前記立体映像の画角に一致する映像を選択し、前記映像生成手段が、撮影高の差を画像処理により調整することを特徴とする映像生成システムを提案している。
【００１７】
この発明によれば、立体映像を生成するための最適な映像が見つからなかったときに、選択手段が、位置情報検出手段の位置情報から撮影する高さが近く、立体映像の画角に一致する映像を選択し、映像生成手段が、撮影高の差を画像処理により調整する。したがって、立体映像を生成するための最適な映像がない場合でも、立体映像の画角に一致する映像を選択することにより、立体映像を生成することができる。
【００１８】
（４）本発明は、（１）〜（３）のいずれかの映像生成システムについて、前記位置情報検出手段が、ＧＰＳ受信機であることを特徴とする映像生成システムを提案している。
【００１９】
この発明によれば、位置情報検出手段が、ＧＰＳ受信機である。したがって、正確に携帯端末の緯度、経度および地表面からの高さを把握することができる。
【００２０】
（５）本発明は、（１）〜（３）のいずれかの映像生成システムについて、前記位置情報検出手段が、施設の座席に設置された発信器からの信号を受信する受信機であることを特徴とする映像生成システムを提案している。
【００２１】
この発明によれば、位置情報検出手段が、施設の座席に設置された発信器からの信号を受信する受信機である。したがって、施設の各座席に関する緯度、経度および地表面からの高さに関するデータベースがあれば、特別な機能がなくても、正確に携帯端末の緯度、経度および地表面からの高さを把握することができる。
【００２４】
（６）本発明は、所定のエリア内に存在する複数の携帯端末がアドホックネットワークを形成して、各携帯端末が撮影した映像を流通させ、該流通する映像を用いて新たな映像を生成する映像生成システムにおける映像生成方法であって、任意の前記携帯端末で、ローカルグループを構築する第１のステップと、該構築したローカルグループを、一つのマクログループとしたアドホックネットワークを構築する第２のステップと、映像データのインデックスを、アドホックネットワークグループに流通させる第３のステップと、該流通するインデックスと位置情報とに基づいて、所望の映像を選択する第４のステップと、該選択した映像を処理して立体映像を生成する第５のステップと、を有することを特徴とする映像生成方法を提案している。
【００２５】
この発明によれば、任意の携帯端末で、ローカルグループを構築し、その構築したローカルグループを、一つのマクログループとしたアドホックネットワークを構築する。そして、映像データのインデックスを、アドホックネットワークグループに流通させ、その流通するインデックスと位置情報とに基づいて、所望の映像を選択し、その選択した映像を処理して立体映像を生成する。したがって、多くの人々が持っている携帯端末を使って、簡易なシステムで、立体映像を簡単に、生成することができる。また、生成した立体映像をさらに流通させることにより、他のユーザは、各ユーザが撮影した単一の映像のほかに、加工された趣の異なる映像を楽しむことができる。楽しむことができる。
【００２８】
（７）本発明は、所定のエリア内に存在する複数の携帯端末がアドホックネットワークを形成して、各携帯端末が撮影した映像を流通させ、該流通する映像を用いて新たな映像を生成する映像生成システムにおける映像生成方法をコンピュータに実行させるためのプログラムであって、任意の前記携帯端末で、ローカルグループを構築する第１のステップと、該構築したローカルグループを、一つのマクログループとしたアドホックネットワークを構築する第２のステップと、映像データのインデックスを、アドホックネットワークグループに流通させる第３のステップと、該流通するインデックスと位置情報とに基づいて、所望の映像を選択する第４のステップと、該選択した映像を処理して立体映像を生成する第５のステップと、をコンピュータに実行させるためのプログラムを提案している。
【００２９】
この発明によれば、任意の携帯端末で、ローカルグループを構築し、その構築したローカルグループを、一つのマクログループとしたアドホックネットワークを構築する。そして、映像データのインデックスを、アドホックネットワークグループに流通させ、その流通するインデックスと位置情報とに基づいて、所望の映像を選択し、その選択した映像を処理して立体映像を生成する。したがって、多くの人々が持っている携帯端末を使って、簡易なシステムで、立体映像を簡単に、生成することができる。また、生成した立体映像をさらに流通させることにより、他のユーザは、各ユーザが撮影した単一の映像のほかに、加工された趣の異なる映像を楽しむことができる。楽しむことができる。
【発明の効果】
【００３０】
本発明によれば、携帯端末を利用して、球場やサッカースタジアム等の施設において、様々な視点からの映像を共有し、新たな映像を生成することができるという効果がある。また、携帯電話のようなモバイル端末の処理能力がさらに向上し、撮影機能が高度化した場合、ほとんど全ての観客が持っていると思われる携帯電話、または携帯可能端末を利用することで、死角のない映像を収集し、そこから最適な映像を組み合わせ、多視点映像や立体映像を生成することができるという効果がある。
【発明を実施するための最良の形態】
【００３１】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３２】
＜第１の実施形態＞
図１から図３を用いて、本発明の第１の実施形態について、説明する。
なお、本実施形態では、所定のエリア内に存在する複数の携帯端末がアドホックネットワークを形成して、各携帯端末が撮影した映像を流通させ、その流通する映像を用いて多視点映像を生成する映像生成システムについて説明する。
【００３３】
本実施形態に係るシステムは、図１に示すように、例えば、野球場やサッカースタジアム等の施設において、任意の携帯端末１が、ローカルグループ（図中、ローカルグループＡ、ローカルグループＢ、ローカルグループＣ、ローカルグループＤ、ローカルグループＥ）を構築し、その構築したローカルグループを、一つのマクログループとしたアドホックネットワークを構築している。
【００３４】
また、ローカルグループ、およびアドホックグループは、お互いの携帯端末１の位置関係が近接しているという条件だけでなく、応援しているチームや好きな選手などのパラメーターでも構築することができ、座席移動などにより、常に変化するものとする。
【００３５】
さらに、上記のようなパラメーターで、ローカルグループを構築することにより、ローカルグループ内はもとより、ローカルグループ間においても、映像を流通させることができ、また、ローカルグループを形成することにより、自分が撮影を中止している場合やカメラの前を人が横切ることにより、重要な場面の撮影ができなかった場合でも、流通する映像の中から最適な映像を選択することができる。
【００３６】
＜携帯端末の構成＞
本実施形態において、アドホックネットワークを構築する携帯端末１は、それぞれ、図２に示すように、アドホック通信部１１と、映像選択部１２と、映像生成部１３と、表示部１４と、送信部１５とを備えている。
【００３７】
アドホック通信部１１は、同一のローカルグループに属する他の携帯端末１はもとより、他のローカルグループに属する他の携帯端末１とアドホックネットワークを構築し、携帯端末で撮影した映像を流通させ、流通している映像を受信して、映像選択部２に送信する。なお、流通させる映像は、映像データそのものではなく、映像データのインデックスを流通させる。これにより、通信量を削減しつつ、映像情報を流通させることができる。
【００３８】
映像選択部１２は、アドホック通信部１１が受信した映像データのインデックスの中から、多視点映像を生成するために好適な映像データのインデックスを選択して、映像生成部１３に出力する。
【００３９】
映像生成部１３は、映像選択部１２から入力した映像から多視点映像を生成する。これにより、従来のような大がかりなシステムを用いなくても、複数の携帯端末１を利用することにより、簡易な構成で、簡単に、多視点映像を生成することができる。
【００４０】
表示部１４は、映像生成部１３が生成した多視点映像を表示する、例えば、液晶表示器である。なお、流通する映像の選択の際に、流通する映像を逐次表示して、ユーザが、多視点映像を生成するために適していると思われる映像を映像選択部１２において選択してもよい。
【００４１】
送信部１５は、映像生成部１３が生成した多視点映像をアドホックネットワークに配信する場合に機能する。このように、あるユーザが生成した多視点映像をアドホックネットワークに配信することにより、他のユーザは、各ユーザが撮影した単一の映像のほかに、加工された趣の異なる映像を楽しむことができる。
【００４２】
＜システムの処理＞
図３を用いて、本実施形態に係るシステムの処理について、説明する。
【００４３】
まず、任意の携帯端末で、ローカルグループを構築する（ステップＳ１０１）。なお、ローカルグループの構築は、複数台の携帯端末１を基本とするが、１台の携帯端末１により、ローカルグループを構築してもよい。
【００４４】
次に、構築したローカルグループを、一つのマクログループとしたアドホックネットワークを構築し（ステップＳ１０２）、映像データのインデックスを、アドホックネットワークグループに流通させる（ステップＳ１０３）。
【００４５】
そして、流通するインデックスを利用して、所望の映像を選択し（ステップＳ１０４）、その選択した映像を処理して多視点映像を生成する（ステップＳ１０５）。
【００４６】
したがって、本実施形態によれば、任意の携帯端末で、ローカルグループを構築し、その構築したローカルグループを、一つのマクログループとしたアドホックネットワークを構築し、そして、映像データのインデックスを、アドホックネットワークグループに流通させ、その流通するインデックスを利用して、所望の映像を選択し、その選択した映像を処理して多視点映像を生成することにより、多くの人々が持っている携帯端末を使って、簡易なシステムで、多視点映像を簡単に、生成することができる。また、生成した多視点映像をさらに流通させることにより、他のユーザは、各ユーザが撮影した単一の映像のほかに、加工された趣の異なる映像を楽しむことができる。
【００４７】
＜第２の実施形態＞
図４および図５を用いて、本発明の第２の実施形態について、説明する。
本実施形態では、所定のエリア内に存在する複数の携帯端末がアドホックネットワークを形成して、各携帯端末が撮影した映像を流通させ、その流通する映像を用いて立体映像を生成する映像生成システムについて説明する。なお、システム全体の構成については、第１の実施形態と同様であるため、詳細な説明は省略する。
【００４８】
＜携帯端末の構成＞
本実施形態において、アドホックネットワークを構築する携帯端末１は、それぞれ、図４に示すように、アドホック通信部１１と、位置情報検出部２１と、映像選択部２２と、映像生成部２３と、表示部１４と、送信部１５とを備えている。なお、第１の実施形態と同一の符号を付す構成要素については、同一の機能を有することから、その詳細な説明は、省略する。
【００４９】
位置情報検出部２１は、携帯端末１の位置情報、すなわち、緯度、経度および地表面からの高さ等の情報を検出するものである。具体的には、ＧＰＳ受信機や施設の座席に設置された発信器からの信号を受信する受信機等で構成される。
【００５０】
映像選択部２２は、アドホック通信部１１が受信した映像データのインデックスと携帯端末１の位置情報から、立体映像を生成するために必要な要素、つまり、自身の携帯端末１とほぼ同じ水平方向の高さを有し、同一の被写体に対して、最適な画角を構成する携帯端末１からの映像を選択して、映像生成部２３に出力する。
【００５１】
映像生成部２３は、映像選択部２２から入力した映像から立体映像を生成する。なお、映像選択部２２から、水平方向の高さは同じではないが、同一の被写体に対して、最適な画角を有する映像が入力された場合には、図示しない画像処理部により、高さを一致させる処理を行って、立体映像を生成する。これにより、従来のような大がかりなシステムを用いなくても、複数の携帯端末１を利用することにより、簡易な構成で、簡単に、立体映像を生成することができる。
【００５２】
＜システムの処理＞
図５を用いて、本実施形態に係るシステムの処理について、説明する。
【００５３】
まず、任意の携帯端末で、ローカルグループを構築する（ステップＳ２０１）。なお、ローカルグループの構築は、複数台の携帯端末１を基本とするが、１台の携帯端末１により、ローカルグループを構築してもよい。
【００５４】
次に、構築したローカルグループを、一つのマクログループとしたアドホックネットワークを構築し（ステップＳ２０２）、映像データのインデックスを、アドホックネットワークグループに流通させる（ステップＳ２０３）。
【００５５】
そして、流通するインデックス（位置情報を含む）を利用して、所望の映像を選択し（ステップＳ２０４）、その選択した映像を処理して多視点映像を生成する（ステップＳ２０５）。
【００５６】
したがって、本実施形態によれば、任意の携帯端末で、ローカルグループを構築し、その構築したローカルグループを、一つのマクログループとしたアドホックネットワークを構築し、そして、映像データのインデックス（位置情報を含む）を、アドホックネットワークグループに流通させ、その流通するインデックスを利用して、所望の映像を選択し、その選択した映像を処理して立体映像を生成することにより、多くの人々が持っている携帯端末を使って、簡易なシステムで、立体映像を簡単に、生成することができる。また、生成した立体映像をさらに流通させることにより、他のユーザは、各ユーザが撮影した単一の映像のほかに、加工された趣の異なる映像を楽しむことができる。
【００５７】
なお、これらプログラムをコンピュータ読み取り可能な記録媒体に記録し、この記録媒体に記録されたプログラムを携帯端末に読み込ませ、実行することによって本発明の映像生成システムを実現することができる。ここでいうコンピュータシステムとは、ＯＳや周辺装置等のハードウェアを含む。
【００５８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６０】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００６１】
【図１】第１の実施形態に係るシステムの構成図である。
【図２】第１の実施形態に係る携帯端末の構成図である。
【図３】第１の実施形態に係るシステムの処理フローである。
【図４】第２の実施形態に係る携帯端末の構成図である。
【図５】第２の実施形態に係るシステムの処理フローである。
【符号の説明】
【００６２】
１・・・携帯端末
１１・・・アドホック通信部
１２、２２・・・映像選択部
１３、２３・・・映像生成部
１４・・・表示部
１５・・・送信部
２１・・・位置情報検出部
【図１】
0005148364.tif 000002
【図２】
0005148364.tif 000003
【図３】
0005148364.tif 000004
【図４】
0005148364.tif 000005
【図５】
0005148364.tif 000006